(57)【特許請求の範囲】
【請求項１】
第１無線基地局が、移動局に対して、前記第１無線基地局との間で設定された第１ベアラの設定内容を複製して、第２無線基地局との間の第２ベアラを設定するように指示する設定複製指示を送信する工程と、
前記移動局が、前記設定複製指示に応じて、前記第２無線基地局との間で、前記第１ベアラの設定内容と同じ設定内容の前記第２ベアラを設定する工程とを有することを特徴とする移動通信方法。
【請求項２】
第１無線基地局及び第２無線基地局を用いたキャリアアグリゲーションを行うことができるように構成されている移動局であって、
前記第１無線基地局から、前記第１無線基地局との間で設定された第１ベアラの設定内容を複製して、前記第２無線基地局との間の第２ベアラを設定するように指示する設定複製指示を受信する受信部と、
前記設定複製指示に応じて、前記第２無線基地局との間で、前記第１ベアラの設定内容と同じ設定内容の第２ベアラを設定する制御部
を具備することを特徴とする移動局。
【請求項３】
前記制御部は、前記受信部が前記第１無線基地局から、前記第１ベアラの設定内容との差分情報を受信した場合には、前記第１ベアラの設定内容及び前記差分情報に基づいて、前記第２ベアラを設定することを特徴とする請求項２に記載の移動局。
【請求項４】
前記制御部は、前記設定複製指示によって、前記第１ベアラの設定内容としてＲＬＣの設定内容及びＬＣＨの設定内容を複製することを特徴とする請求項２に記載の移動局。
【請求項５】
前記受信部は、前記ＲＬＣの設定内容を複製するように指示する設定複製指示及び前記ＬＣＨの設定内容を複製するように指示する設定複製指示を別々に受信することを特徴とする請求項４に記載の移動局。
【請求項６】
移動局が第１無線基地局及び第２無線基地局を用いたキャリアアグリゲーションを行うことができるように構成されている移動通信システムにおいて前記第１無線基地局として動作することができる無線基地局であって、
前記移動局との通信を制御する制御部と、
前記移動局に対して、前記第１無線基地局との間で設定された第１ベアラの設定内容を複製して、前記第２無線基地局との間の第２ベアラを設定するように指示する設定複製指示を送信する送信部
を具備することを特徴とする無線基地局。
【請求項７】
前記送信部は、前記設定複製指示によって、前記第１ベアラの設定内容としてＲＬＣの設定内容及びＬＣＨの設定内容を複製するように指示することを特徴とする請求項６に記載の無線基地局。
【請求項８】
前記送信部は、前記ＲＬＣの設定内容を複製するように指示する設定複製指示及び前記ＬＣＨの設定内容を複製するように指示する設定複製指示を別々に送信することを特徴とする請求項７に記載の無線基地局。
【発明の詳細な説明】
【技術分野】
【０００１】
本発明は、移動通信方法、移動局及び無線基地局に関する。
【背景技術】
【０００２】
ＬＴＥ（Ｌｏｎｇ  Ｔｅｒｍ  Ｅｖｏｌｕｔｉｏｎ）方式において、ＲＬＣ（Ｒａｄｉｏ  Ｌｉｎｋ  Ｃｏｎｔｒｏｌ）レイヤは、順序制御及び重複制御を提供するために、送信側及び受信側においてウィンドウ制御が行われるように構成されている。
【０００３】
送信側のＲＬＣレイヤにおけるウィンドウ制御では、新規に送信するＲＬＣ-ＰＤＵ（Ｒａｄｉｏ  Ｌｉｎｋ  Ｃｏｎｔｒｏｌ-Ｐｒｏｔｏｃｏｌ  Ｄａｔａ  Ｕｎｉｔ）に対してＳＮ（Ｓｅｑｕｅｎｃｅ  Ｎｕｍｂｅｒ、シーケンス番号）を付与し、受信側のＲＬＣレイヤからのＲＬＣ-ｓｔａｔｕｓ-ｒｅｐｏｒｔ（ＡＣＫ/ＮＡＣＫ）を以って「Ｔｘ  ｗｉｎｄｏｗ（送信側ウィンドウ）」の更新やＲＬＣレイヤでの再送を実施する。
【０００４】
一方、受信側のＲＬＣレイヤにおけるウィンドウ制御では、ＳＮ順にＲＬＣ-ＰＤＵを受信できた場合に「Ｒｘ  ｗｉｎｄｏｗ（受信側ウィンドウ）」を更新する。
【０００５】
送信側のＲＬＣレイヤは、受信側のＲＬＣレイヤからのＲＬＣ-ｓｔａｔｕｓ-ｒｅｐｏｒｔを受信できない場合には、「Ｔｘ  ｗｉｎｄｏｗ（送信側ウィンドウ）」を更新することができず、「Ｔｘ  ｗｉｎｄｏｗ  ｓｔａｌｌｉｎｇ」が発生し、新規のＲＬＣ-ＰＤＵを送信することができなくなる。
【０００６】
そのため、受信側のＲＬＣレイヤが、適切な頻度で、送信側のＲＬＣレイヤに対して、ＲＬＣ-ｓｔａｔｕｓ-ｒｅｐｏｒｔを送信する必要がある。
【０００７】
なお、受信側のＲＬＣレイヤは、送信側のＲＬＣレイヤからのフィードバック要求（周期的に、或いは、ＲＬＣ-ＰＤＵの最後等に送信される）を受信した場合や、受信したＲＬＣ-ＰＤＵにおけるＳＮの抜けを検出した場合等において、ＲＬＣ-ｓｔａｔｕｓ-ｒｅｐｏｒｔを送信するように構成されている。
【０００８】
ただし、受信側のＲＬＣレイヤは、「Ｐｒｏｈｉｂｉｔ  ｔｉｍｅｒ」が起動されている場合には、ＲＬＣ-ｓｔａｔｕｓ-ｒｅｐｏｒｔを送信しないように構成されている。
【０００９】
なお、かかる「Ｐｒｏｈｉｂｉｔ  ｔｉｍｅｒ」は、ＲＬＣ-ｓｔａｔｕｓ-ｒｅｐｏｒｔが送信される際に起動されるように構成されている。
【００１０】
ＬＴＥ方式のＲｅｌｅａｓｅ-１２において、スループットの向上のために、異なる無線基地局ｅＮＢ間でＣＡ（Ｃａｒｒｉｅｒ  Ａｇｇｒｅｇａｔｉｏｎ）を行うように構成されている「Ｉｎｔｅｒ-ｅＮＢ  ＣＡ」が検討されている（例えば、非特許文献１参照）。
【００１１】
また、かかる「Ｉｎｔｅｒ-ｅＮＢ  ＣＡ」におけるＵ-ｐｌａｎｅアーキテクチャの１つとして、図６に示すアーキテクチャが検討されている。
【００１２】
かかるアーキテクチャでは、無線基地局ＭｅＮＢ（Ｍａｓｔｅｒ-ｅＮＢ）のＰＤＣＰ（Ｐａｃｋｅｔ  Ｄａｔａ  Ｃｏｎｖｅｒｇｅｎｃｅ  Ｐｒｏｔｏｃｏｌ）レイヤ機能が、移動局ＵＥ宛ての下りデータを無線基地局ＳｅＮＢ（Ｓｅｃｏｎｄａｒｙ-ｅＮＢ）に分配することで、かかる移動局ＵＥのスループットを向上することができる。なお、かかる分配のことを「Ｂｅａｒｅｒ  ｓｐｌｉｔ」と呼ぶ。
【００１３】
ただし、かかるアーキテクチャでは、移動局ＵＥ側のＰＤＣＰレイヤ機能は、２つのＲＬＣ（Ｒａｄｉｏ  Ｌｉｎｋ  Ｃｏｎｔｒｏｌ）ストリームに対する順序補正処理を施す必要がある。
【先行技術文献】
【非特許文献】
【００１４】
【非特許文献１】３ＧＰＰ寄書Ｒ２-１３１７８２
【発明の概要】
【発明が解決しようとする課題】
【００１５】
しかしながら、従来のＬＴＥ方式では、図７（ａ）に示すように、無線基地局ｅＮＢ＃１と移動局ＵＥとの間でベアラ＃１が設定されている状態で、図７（ｂ）に示すように、無線基地局ｅＮＢ＃１は、「Ｉｎｔｅｒ-ｅＮＢ  ＣＡ」における「Ｂｅａｒｅｒ  ｓｐｌｉｔ」を行うことを決定し、すなわち、移動局ＵＥと無線基地局ｅＮＢ＃２との間で、ベアラ＃１の「ｃｏｎｆｉｇｕｒａｔｉｏｎ」と同じ「ｃｏｎｆｉｇｕｒａｔｉｏｎ」のベアラ＃２を設定することを決定した場合に、移動局ＵＥに対して、ベアラ＃１の「ｃｏｎｆｉｇｕｒａｔｉｏｎ」を全て通知するように構成されているため、シグナリングのオーバヘッドとなってしまうという問題点があった。
【００１６】
そこで、本発明は、上述の課題に鑑みてなされたものであり、「Ｉｎｔｅｒ-ｅＮＢ  ＣＡ」における「Ｂｅａｒｅｒ  ｓｐｌｉｔ」を開始する際に、シグナリングのオーバヘッドを低減することができる移動通信方法、移動局及び無線基地局を提供することを目的とする。
【課題を解決するための手段】
【００１７】
本発明の第１の特徴は、移動通信方法であって、第１無線基地局が、移動局との間で第１ベアラを設定している状態で、該移動局と第２無線基地局との間で第２ベアラを設定することを決定した場合に、該移動局に対して、前記第２無線基地局の識別子及び該第１ベアラの設定内容を複製するように指示する設定複製指示を送信する工程と、前記移動局が、前記第２無線基地局の識別子及び前記設定複製指示に応じて、前記第２無線基地局との間で、前記第１ベアラの設定内容と同じ設定内容の前記第２ベアラを設定する工程とを有することを要旨とする。
【００１８】
本発明の第２の特徴は、第１無線基地局及び第２無線基地局を用いたキャリアアグリゲーションを行うことができるように構成されている移動局であって、前記第１無線基地局との間で第１ベアラを設定している状態で、該第１無線基地局から、第２無線基地局の識別子及び該第１ベアラの設定内容を複製するように指示する設定複製指示を受信すると、該第２無線基地局との間で、該第１ベアラの設定内容と同じ設定内容の第２ベアラを設定するように構成されている制御部を具備することを要旨とする。
【００１９】
本発明の第３の特徴は、移動局が第１無線基地局及び第２無線基地局を用いたキャリアアグリゲーションを行うことができるように構成されている移動通信システムにおいて該第１無線基地局として動作することができる無線基地局であって、前記移動局との間で第１ベアラを設定している状態で、該移動局と前記第２無線基地局との間で第２ベアラを設定することを決定した場合に、該移動局に対して、該第２無線基地局の識別子及び該第１ベアラの設定内容を複製するように指示する設定複製指示を送信するように構成されている送信部を具備することを要旨とする。
【発明の効果】
【００２０】
以上説明したように、本発明によれば、「Ｉｎｔｅｒ-ｅＮＢ  ＣＡ」における「Ｂｅａｒｅｒ  ｓｐｌｉｔ」を開始する際に、シグナリングのオーバヘッドを低減することができる移動通信方法、移動局及び無線基地局を提供することができる。
【図面の簡単な説明】
【００２１】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動通信システムの動作を説明するためのシーケンス図である。
【図５】本発明の第１の実施形態に係る移動局の動作を説明するためのフローチャートである。
【図６】従来技術を説明するための図である。
【図７】従来技術を説明するための図である。
【発明を実施するための形態】
【００２２】
（本発明の第１の実施形態に係る移動通信システム）
図１乃至図５を参照して、本発明の第１の実施形態に係る移動通信システムについて説明する。
【００２３】
本実施形態に係る移動通信システムは、ＬＴＥ方式（或いは、ＬＴＥ-Ａｄｖａｎｃｅｄ方式）の移動通信システムであって、図１に示すように、無線基地局ｅＮＢ＃１と、無線基地局ｅＮＢ＃２とを具備している。
【００２４】
例えば、本実施形態に係る移動通信システムでは、無線基地局ｅＮＢ＃１は、マクロセルを管理する無線基地局ＭｅＮＢであり、無線基地局ｅＮＢ＃２は、スモールセルを管理する無線基地局ＳｅＮＢであってもよい。
【００２５】
なお、本実施形態に係る移動通信システムでは、図１に示すように、無線基地局ｅＮＢ＃１と移動局ＵＥとの間でベアラ＃１が設定されている状態で、無線基地局ｅＮＢ＃１が、移動局ＵＥと無線基地局ｅＮＢ＃２との間でベアラ＃２を設定することを決定するケースを例に挙げて説明する。
【００２６】
図２に示すように、本実施形態に係る無線基地局ｅＮＢ＃１は、制御部１１と、送信部１２とを具備している。
【００２７】
制御部１１は、移動局ＵＥとの間の通信に係る各種制御を行うように構成されており、送信部１２は、移動局ＵＥや無線基地局ｅＮＢ＃２に対して各種信号を送信するように構成されている。
【００２８】
例えば、制御部１１が、上述のベアラ＃１が設定されている状態で、「Ｉｎｔｅｒ-ｅＮＢ  ＣＡ」における「Ｂｅａｒｅｒ  ｓｐｌｉｔ」を行うこと、すなわち、移動局ＵＥと無線基地局ｅＮＢ＃２との間でベアラ＃２を設定することを決定するように構成されている。
【００２９】
かかる場合、送信部１２は、移動局ＵＥに対して、上述の「Ｂｅａｒｅｒ  ｓｐｌｉｔ」を行うベアラ＃２の追加指示と共に、かかるベアラ＃２を追加すべき無線基地局ｅＮＢ＃２の識別子及びベアラ＃１の「ｃｏｎｆｉｇｕｒａｔｉｏｎ」を複製するように指示する「Ｃｏｎｆｉｇ  ｃｏｐｙ  ｉｎｄｉｃａｔｉｏｎ」を送信するように構成されている。
【００３０】
なお、かかる場合、送信部１２は、ベアラ＃１の「ｃｏｎｆｉｇｕｒａｔｉｏｎ」及びベアラ＃２の「ｃｏｎｆｉｇｕｒａｔｉｏｎ」を変える場合には、移動局ＵＥに対して、上述の「Ｂｅａｒｅｒ  ｓｐｌｉｔ」を行うベアラ＃２の追加指示と共に、かかるベアラ＃２を追加すべき無線基地局ｅＮＢ＃２の識別子、ベアラ＃１の「ｃｏｎｆｉｇｕｒａｔｉｏｎ」との差分情報及びベアラ＃１の「ｃｏｎｆｉｇｕｒａｔｉｏｎ」を複製しないように指示する「Ｃｏｎｆｉｇ  ｕｎｃｏｐｙ  ｉｎｄｉｃａｔｉｏｎ」を送信するように構成されていてもよい。
【００３１】
ここで、移動局ＵＥは、ベアラ＃１の「ｃｏｎｆｉｇｕｒａｔｉｏｎ」との差分情報を受信した場合に、暗に、ベアラ＃１の「ｃｏｎｆｉｇｕｒａｔｉｏｎ」を複製しないことが分かるため、かかる場合、送信部１２は、「Ｃｏｎｆｉｇ  ｕｎｃｏｐｙ  ｉｎｄｉｃａｔｉｏｎ」を送信しないように構成されていてもよい。
【００３２】
なお、制御部１１が、３つ以上の無線基地局ｅＮＢを用いた「Ｉｎｔｅｒ-ｅＮＢ  ＣＡ」における「Ｂｅａｒｅｒ  ｓｐｌｉｔ」を行うことを決定した場合には、送信部１２は、どの無線基地局ｅＮＢとの間で、上述の「Ｂｅａｒｅｒ  ｓｐｌｉｔ」を行うベアラを追加するべきかについて示す識別子を送信するように構成されていてもよい。
【００３３】
また、送信部１２は、ベアラ＃１の「ｃｏｎｆｉｇｕｒａｔｉｏｎ」として、「ＲＬＣ  ｃｏｎｆｉｇｕｒａｔｉｏｎ」に関するものだけではなく、「ＬＣＨ（Ｌｏｇｉｃａｌ  Ｃｈａｎｎｅｌ）  ｃｏｎｆｉｇｕｒａｔｉｏｎ」等に関するものを送信するように構成されていてもよい。
【００３４】
ここで、送信部１２は、ベアラ＃１の「ｃｏｎｆｉｇｕｒａｔｉｏｎ」を、ｃｏｎｆｉｇｕｒａｔｉｏｎ種別（例えば、「ＲＬＣ  ｃｏｎｆｉｇｕｒａｔｉｏｎ」及び「ＬＣＨ  ｃｏｎｆｉｇｕｒａｔｉｏｎ」）ごとに別々に送信するように構成されていてもよい。
【００３５】
本実施形態に係る移動局ＵＥは、無線基地局ｅＮＢ＃１及び無線基地局ｅＮＢ＃２を用いた「Ｉｎｔｅｒ-ｅＮＢ  ＣＡ」を行うことができるように構成されており、図３に示すように、受信部２１と、制御部２２とを具備している。
【００３６】
送信部２１は、無線基地局ｅＮＢ＃１/ｅＮＢ＃２から各種信号を受信するように構成されており、制御部２２は、移動局ＵＥの通信に係る各種制御を行うように構成されている。
【００３７】
例えば、受信部２１は、移動局ＵＥ無線基地局ｅＮＢ＃１との間でベアラ＃１が設定されている状態で、無線基地局ｅＮＢ＃１から、「Ｉｎｔｅｒ-ｅＮＢ  ＣＡ」における「Ｂｅａｒｅｒ  ｓｐｌｉｔ」を行うベアラの追加指示と共に、無線基地局ｅＮＢ＃２の識別子及びベアラ＃１の「ｃｏｎｆｉｇｕｒａｔｉｏｎ」を複製するように指示する「Ｃｏｎｆｉｇ  ｃｏｐｙ  ｉｎｄｉｃａｔｉｏｎ」を受信するように構成されている。
【００３８】
かかる場合、制御部２２は、ベアラ＃１の「ｃｏｎｆｉｇｕｒａｔｉｏｎ」をそのまま複製して、無線基地局ｅＮＢ＃２との間で、ベアラ＃１の「ｃｏｎｆｉｇｕｒａｔｉｏｎ」と同じ「ｃｏｎｆｉｇｕｒａｔｉｏｎ」のベアラ＃２を設定するように構成されている。
【００３９】
一方、受信部２１が、ベアラ＃１が設定されている状態で、無線基地局ｅＮＢ＃１から「Ｃｏｎｆｉｇ  ｃｏｐｙ  ｉｎｄｉｃａｔｉｏｎ」の代わりに、ベアラ＃１の「ｃｏｎｆｉｇｕｒａｔｉｏｎ」との差分情報を受信した場合には、制御部２２は、かかる差分情報及びベアラ＃１の「ｃｏｎｆｉｇｕｒａｔｉｏｎ」に基づいて、ベアラ＃２を設定するように構成されていてもよい。
【００４０】
以下、図４及び図５を参照して、本実施形態に係る移動通信システムの具体的な動作の一例について説明する。
【００４１】
第１に、図４を参照して、本実施形態に係る移動通信システムの動作の一例について説明する。
【００４２】
図４に示すように、ステップＳ１００１において、無線基地局ｅＮＢ＃１と移動局ＵＥとの間でベアラ＃１が設定されている状態で、無線基地局ｅＮＢ＃１は、ステップＳ１００２において、「Ｉｎｔｅｒ-ｅＮＢ  ＣＡ」における「Ｂｅａｒｅｒ  ｓｐｌｉｔ」を行うこと、すなわち、移動局ＵＥと無線基地局ｅＮＢ＃２との間でベアラ＃２を設定することを決定すると、ステップＳ１００３において、移動局ＵＥに対して、上述の「Ｂｅａｒｅｒ  ｓｐｌｉｔ」を行うベアラ＃２の追加指示と共に、かかるベアラ＃２を追加すべき無線基地局ｅＮＢ＃２の識別子及びベアラ＃１の「ｃｏｎｆｉｇｕｒａｔｉｏｎ」を複製するように指示する「Ｃｏｎｆｉｇ  ｃｏｐｙ  ｉｎｄｉｃａｔｉｏｎ」を送信する。
【００４３】
ステップＳ１００４において、移動局ＵＥは、ベアラ＃１の「ｃｏｎｆｉｇｕｒａｔｉｏｎ」をそのまま複製して、無線基地局ｅＮＢ＃２との間で、ベアラ＃１の「ｃｏｎｆｉｇｕｒａｔｉｏｎ」と同じ「ｃｏｎｆｉｇｕｒａｔｉｏｎ」のベアラ＃２を設定する。
【００４４】
第２に、図５を参照して、本実施形態に係る移動局ＵＥの動作の一例について説明する。
【００４５】
図５に示すように、移動局ＵＥは、ステップＳ１０１において、無線基地局ｅＮＢ＃１から、上述の「Ｂｅａｒｅｒ  ｓｐｌｉｔ」を行うベアラ＃２の追加指示と共に、かかるベアラ＃２を追加すべき無線基地局ｅＮＢ＃２の識別子及びベアラ＃１の「ｃｏｎｆｉｇｕｒａｔｉｏｎ」を複製するように指示する「Ｃｏｎｆｉｇ  ｃｏｐｙ  ｉｎｄｉｃａｔｉｏｎ」を受信すると、ステップＳ１０２において、ベアラ＃１の「ｃｏｎｆｉｇｕｒａｔｉｏｎ」をそのまま複製して、無線基地局ｅＮＢ＃２との間で、ベアラ＃１の「ｃｏｎｆｉｇｕｒａｔｉｏｎ」と同じ「ｃｏｎｆｉｇｕｒａｔｉｏｎ」のベアラ＃２を設定する。
【００４６】
一方、移動局ＵＥは、ステップＳ１０１において、無線基地局ｅＮＢ＃１から、上述の「Ｂｅａｒｅｒ  ｓｐｌｉｔ」を行うベアラ＃２の追加指示と共に、上述の「Ｃｏｎｆｉｇ  ｃｏｐｙ  ｉｎｄｉｃａｔｉｏｎ」を受信しない場合、ステップ１０３において、無線基地局ｅＮＢ＃１によって通知された「ｃｏｎｆｉｇｕｒａｔｉｏｎ」のベアラ＃２を設定する。
【００４７】
以上に述べた本実施形態の特徴は、以下のように表現されていてもよい。
【００４８】
本実施形態の第１の特徴は、移動通信方法であって、無線基地局ｅＮＢ＃１（第１無線基地局）が、移動局ＵＥとの間でベアラ＃１（第１ベアラ）を設定している状態で、移動局ＵＥと無線基地局ｅＮＢ＃２（第２無線基地局）との間でベアラ＃２（第２ベアラ）を設定することを決定した場合に、移動局ＵＥに対して、無線基地局ｅＮＢ＃２の識別子及びベアラ＃１の「ｃｏｎｆｉｇｕｒａｔｉｏｎ（設定内容）」を複製するように指示する「Ｃｏｎｆｉｇ  ｃｏｐｙ  ｉｎｄｉｃａｔｉｏｎ（設定複製指示）」を送信する工程と、移動局ＵＥが、無線基地局ｅＮＢ＃２の識別子及び「Ｃｏｎｆｉｇ  ｃｏｐｙ  ｉｎｄｉｃａｔｉｏｎ」に応じて、無線基地局ｅＮＢ＃２との間で、ベアラ＃１の「ｃｏｎｆｉｇｕｒａｔｉｏｎ」と同じ「ｃｏｎｆｉｇｕｒａｔｉｏｎ」のベアラ＃２を設定する工程とを有することを要旨とする。
【００４９】
かかる特徴によれば、無線基地局ｅＮＢ＃１が、移動局ＵＥに対して、ベアラ＃１の「ｃｏｎｆｉｇｕｒａｔｉｏｎ」の全てを通知する必要がないので、「Ｉｎｔｅｒ-ｅＮＢ  ＣＡ」における「Ｂｅａｒｅｒ  ｓｐｌｉｔ」を開始する際に、シグナリングのオーバヘッドを低減することができる。
【００５０】
本実施形態の第２の特徴は、無線基地局ｅＮＢ＃１及び無線基地局ｅＮＢ＃２を用いた「Ｉｎｔｅｒ-ｅＮＢ  ＣＡ（キャリアアグリゲーション）」を行うことができるように構成されている移動局ＵＥであって、無線基地局ｅＮＢ＃１との間でベアラ＃１を設定している状態で、無線基地局ｅＮＢ＃１から、無線基地局ｅＮＢ＃２の識別子及びベアラ＃１の「ｃｏｎｆｉｇｕｒａｔｉｏｎ」を複製するように指示する「Ｃｏｎｆｉｇ  ｃｏｐｙ  ｉｎｄｉｃａｔｉｏｎ」を受信すると、無線基地局ｅＮＢ＃２との間で、ベアラ＃１の「ｃｏｎｆｉｇｕｒａｔｉｏｎ」と同じ「ｃｏｎｆｉｇｕｒａｔｉｏｎ」のベアラ＃２を設定するように構成されている制御部２２を具備することを要旨とする。
【００５１】
かかる特徴によれば、無線基地局ｅＮＢ＃１が、移動局ＵＥに対して、ベアラ＃１の「ｃｏｎｆｉｇｕｒａｔｉｏｎ」の全てを通知する必要がないので、「Ｉｎｔｅｒ-ｅＮＢ  ＣＡ」における「Ｂｅａｒｅｒ  ｓｐｌｉｔ」を開始する際に、シグナリングのオーバヘッドを低減することができる。
【００５２】
本実施形態の第２の特徴において、制御部２２は、ベアラ＃１を設定している状態で、無線基地局ｅＮＢ＃１から「Ｃｏｎｆｉｇ  ｃｏｐｙ  ｉｎｄｉｃａｔｉｏｎ」の代わりに、ベアラ＃１の「ｃｏｎｆｉｇｕｒａｔｉｏｎ」との差分情報を受信した場合には、ベアラ＃１の「ｃｏｎｆｉｇｕｒａｔｉｏｎ」及び差分情報に基づいて、ベアラ＃２を設定するように構成されていてもよい。
【００５３】
かかる特徴によれば、「Ｉｎｔｅｒ-ｅＮＢ  ＣＡ」における「Ｂｅａｒｅｒ  ｓｐｌｉｔ」を開始する際に、必要に応じて、ベアラ＃１の「ｃｏｎｆｉｇｕｒａｔｉｏｎ」及びベアラ＃２の「ｃｏｎｆｉｇｕｒａｔｉｏｎ」を変更することもできる。
【００５４】
本実施形態の第３の特徴は、移動局ＵＥが無線基地局ｅＮＢ＃１及び無線基地局ｅＮＢ＃２を用いた「Ｉｎｔｅｒ-ｅＮＢ  ＣＡ」を行うことができるように構成されている移動通信システムにおいて無線基地局ｅＮＢ＃１として動作することができる無線基地局ｅＮＢであって、移動局ＵＥとの間でベアラ＃１を設定している状態で、移動局ＵＥと無線基地局ｅＮＢ＃２との間でベアラ＃２を設定することを決定した場合に、移動局ＵＥに対して、無線基地局ｅＮＢ＃２の識別子及びベアラ＃１の「ｃｏｎｆｉｇｕｒａｔｉｏｎ」を複製するように指示する「Ｃｏｎｆｉｇ  ｃｏｐｙ  ｉｎｄｉｃａｔｉｏｎ」を送信するように構成されている送信部１２を具備することを要旨とする。
【００５５】
かかる特徴によれば、無線基地局ｅＮＢ＃１が、移動局ＵＥに対して、ベアラ＃１の「ｃｏｎｆｉｇｕｒａｔｉｏｎ」の全てを通知する必要がないので、「Ｉｎｔｅｒ-ｅＮＢ  ＣＡ」における「Ｂｅａｒｅｒ  ｓｐｌｉｔ」を開始する際に、シグナリングのオーバヘッドを低減することができる。
【００５６】
本実施形態の第３の特徴において、送信部１２は、「Ｃｏｎｆｉｇ  ｃｏｐｙ  ｉｎｄｉｃａｔｉｏｎ」によって、ベアラ＃１の「ｃｏｎｆｉｇｕｒａｔｉｏｎ」として「ＲＬＣ  ｃｏｎｆｉｇｕｒａｔｉｏｎ（ＲＬＣの設定内容）」及び「ＬＣＨ  ｃｏｎｆｉｇｕｒａｔｉｏｎ（ＬＣＨの設定内容）」を複製するように指示するように構成されていてもよい。
【００５７】
本実施形態の第３の特徴において、送信部１２は、「ＲＬＣ  ｃｏｎｆｉｇｕｒａｔｉｏｎ」を複製するように指示する「Ｃｏｎｆｉｇ  ｃｏｐｙ  ｉｎｄｉｃａｔｉｏｎ」及び「ＬＣＨ  ｃｏｎｆｉｇｕｒａｔｉｏｎ」を複製するように指示する「Ｃｏｎｆｉｇ  ｃｏｐｙ  ｉｎｄｉｃａｔｉｏｎ」を別々に送信するように構成されていてもよい。
【００５８】
なお、上述の移動局ＵＥ及び無線基地局ｅＮＢ＃１/ｅＮＢ＃２の動作は、ハードウェアによって実施されてもよいし、プロセッサによって実行されるソフトウェアモジュールによって実施されてもよいし、両者の組み合わせによって実施されてもよい。
【００５９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ＃１/ｅＮＢ＃２内に設けられていてもよい。また、かかる記憶媒体及びプロセッサは、ディスクリートコンポーネントとして移動局ＵＥ及び無線基地局ｅＮＢ＃１/ｅＮＢ＃２内に設けられていてもよい。
【００６１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６２】
ＵＥ…移動局
ｅＮＢ＃１、ｅＮＢ＃２…無線基地局
１１、２２…制御部
１２…送信部
２１…受信部
【図１】
0005977725.tif 000002
【図２】
0005977725.tif 000003
【図３】
0005977725.tif 000004
【図４】
0005977725.tif 000005
【図５】
0005977725.tif 000006
【図６】
0005977725.tif 000007
【図７】
0005977725.tif 000008